【手続補正書】
【提出日】平成29年1月6日(2017.1.6)
【手続補正１】
【補正対象書類名】明細書
【補正対象項目名】０１２４
【補正方法】変更
【補正の内容】
【０１２４】
（実施例４）
熱的に剪断されたキューブコーナー素子を含む、再帰反射性シートを、濃淡を変化させた４行の球を含むパターンを選択した以外は、実施例１に記載したとおりに調製した。図７（ａ）は、拡散可視条件下で撮影した、実施例４の再帰反射性シートのデジタル写真である。図７（ｂ）は、再帰反射性条件下で撮影した、実施例４の再帰反射性シートのデジタル写真である。実施例３と同様に、拡散条件下では、より高温で処理したキューブコーナー素子ほど明るく見えており（例えば、上の２行の球の輪郭及び下の２行の球の中心）、一方で、再帰反射性条件下では、より低温で処理したキューブコーナー素子ほど熱的な剪断の程度が小さいため、明るく見えている。この画像では、画像全体において、再帰反射率の径方向の勾配が示されている。本発明の実施態様の一部を以下の項目［１］−［５３］に記載する。
［項目１］
再帰反射性シートであって、
一の頂点で交わる３つの概ね垂直な面を有するキューブコーナー素子を含む、構造化表面を含み、
該キューブコーナー素子の少なくとも３０パーセントの該頂点は、熱変形されて、変形キューブコーナー素子となっている、再帰反射性シート。
［項目２］
変形キューブコーナー素子の変位有効体積高さが少なくとも１％である、項目１に記載の再帰反射性シート。
［項目３］
前記変位有効体積高さは、少なくとも５％である、項目２に記載の再帰反射性シート。
［項目４］
前記キューブコーナー素子に隣接した反射層を更に含む、項目１に記載の再帰反射性シート。
［項目５］
前記反射層は、金属コーティング及び多層光学フィルムのうちの一方である、項目４に記載の再帰反射性シート。
［項目６］
前記変形キューブコーナー素子は、熱可塑性ポリマーを含む、項目１に記載の再帰反射性シート。
［項目７］
前記熱可塑性ポリマーは、ポリ（カーボネート）、ポリ（メチルメタクリレート）、ポリ（エチレンテレフタレート）、及びポリウレタン、並びにエチレンコポリマー及びそれらのアイオノマー、並びにそれらの混合物のうちの１つである、項目６に記載の再帰反射性シート。
［項目８］
２つの隣接する変形キューブコーナー素子間に、熱可塑性ブリッジを更に含む、項目６又は７に記載の再帰反射性シート。
［項目９］
前記キューブコーナー素子の少なくとも５０％は、熱変形される、項目１に記載の再帰反射性シート。
［項目１０］
ＡＳＴＭ  Ｄ４５９６−０９に従った、０度及び９０度の配向における、前記変形キューブコーナー素子の平均再帰反射係数は、−４度の照射角及び０．２度の観測角に対して、約７０カンデラ／ルクス／ｍ２〜約２５０カンデラ／ルクス／ｍ２であり、前記シートは、白色又は銀色のうちの一方の色彩を有する、項目１に記載の再帰反射性シート。
［項目１１］
前記変形キューブコーナー素子は、マーキングを形成する、項目１に記載の再帰反射性シート。
［項目１２］
前記マーキングは、グレースケールマーキングである、項目１１に記載の再帰反射性シート。
［項目１３］
前記マーキングは、セキュリティマークを形成する、項目１１又は１２に記載の再帰反射性シート。
［項目１４］
前記セキュリティマークは、形状、図形、記号、デザイン、文字、数字、バーコード、ＱＲコード、英数字、及び印のうちの１つである、項目１３に記載の再帰反射性シート。
［項目１５］
再帰反射性シートであって、
キューブコーナー素子を含む構造化表面であって、該キューブコーナー素子の少なくとも一部は、熱的に剪断されたキューブコーナー素子である、構造化表面を含み、
該熱的に剪断されたキューブコーナー素子は、グレースケールマーキングを形成する、再帰反射性シート。
［項目１６］
項目１５に記載の再帰反射性シートであって、前記グレースケールマーキングは、
第１の縮小光学的有効体積を有する、第１の複数の熱的に剪断されたキューブコーナー素子を含む、第１の画素と、
該第１の縮小光学的有効体積とは異なる、第２の縮小光学的有効体積を有する、第２の複数の熱的に剪断されたキューブコーナー素子を含む、第２の画素と、を更に含む、再帰反射性シート。
［項目１７］
前記グレースケールマーキングは、グラフィック画像及び写真画像のうちの一方である、項目１５又は１６に記載の再帰反射性シート。
［項目１８］
前記グレースケールマーキングは、セキュリティマークを形成する、項目１５又は１６に記載の再帰反射性シート。
［項目１９］
前記セキュリティマークは、形状、図形、記号、デザイン、文字、数字、バーコード、ＱＲコード、英数字、及び印のうちの１つである、項目１８に記載の再帰反射性シート。
［項目２０］
前記キューブコーナー素子は、熱可塑性ポリマーを含む、項目１５に記載の再帰反射性シート。
［項目２１］
前記熱可塑性ポリマーは、ポリ（カーボネート）、ポリ（メチルメタクリレート）、ポリ（エチレンテレフタレート）、ポリウレタン、エチレンコポリマー及びそれらのアイオノマー、並びにそれらの混合物のうちの１つである、項目２０に記載の再帰反射性シート。
［項目２２］
前記熱的に剪断されたキューブコーナー素子のそれぞれは、少なくとも５０％の縮小光学的有効体積を有する、項目１５に記載の再帰反射性シート。
［項目２３］
それぞれの熱的に剪断されたキューブコーナー素子の前記縮小光学的有効体積は、少なくとも７０％である、項目２２に記載の再帰反射性シート。
［項目２４］
前記キューブコーナー素子に隣接した反射層を更に含む、項目１５に記載の再帰反射性シート。
［項目２５］
前記反射層は、金属コーティング及び多層光学フィルムのうちの一方である、項目２４に記載の再帰反射性シート。
［項目２６］
再帰反射性シートであって、
縮小光学的有効体積を有する変形キューブコーナー素子のアレイを含む構造化表面であって、該アレイは、複数の画素を含み、第１の画素は、第１の全光線リターン値を有するキューブコーナー素子を含み、該第１の画素に隣接する第２の画素は、該第１の全光線リターン値とは異なる第２の全光線リターン値を有するキューブコーナー素子を含む、構造化表面を含む、再帰反射性シート。
［項目２７］
前記第１及び第２の画素は、マーキングを形成する、項目２６に記載の再帰反射性シート。
［項目２８］
前記マーキングは、グレースケールマーキングである、項目２７に記載の再帰反射性シート。
［項目２９］
前記マーキングは、セキュリティマークを形成する、項目２７又は２８に記載の再帰反射性シート。
［項目３０］
前記セキュリティマークは、形状、図形、記号、デザイン、文字、数字、バーコード、ＱＲコード、英数字、及び印のうちの１つである、項目２９に記載の再帰反射性シート。
［項目３１］
前記キューブコーナー素子は、熱可塑性ポリマーを含む、項目２６に記載の再帰反射性シート。
［項目３２］
前記熱可塑性ポリマーは、ポリ（カーボネート）、ポリ（メチルメタクリレート）、ポリ（エチレンテレフタレート）、ポリウレタン、エチレンコポリマー及びそれらのアイオノマー、並びにそれらの混合物のうちの１つである、項目３１に記載の再帰反射性シート。
［項目３３］
再帰反射性物品を作製する方法であって、
一の頂点で交わる３つの概ね垂直な面を有するキューブコーナー素子を含む、構造化表面を有する、再帰反射性シートを提供することと、
該キューブコーナー素子の少なくとも３０パーセントの該頂点を熱変形させて、変形キューブコーナー素子を形成することと、を含む、方法。
［項目３４］
キューブコーナー素子の裏側に反射層を提供することを更に含む、項目３３に記載の方法。
［項目３５］
前記反射層は、金属コーティング及び多層光学フィルムのうちの一方である、項目３４に記載の方法。
［項目３６］
前記キューブコーナー素子は、熱可塑性ポリマーを含む、項目３３に記載の方法。
［項目３７］
前記熱可塑性ポリマーは、ポリ（カーボネート）、ポリ（メチルメタクリレート）、ポリ（エチレンテレフタレート）、ポリウレタン、エチレンコポリマー及びそれらのアイオノマー、並びにそれらの混合物のうちの１つである、項目３６に記載の方法。
［項目３８］
前記キューブコーナー素子は、サーマルプリンター、超音波溶接機、及びホットスタンパーのうちの少なくとも１つを使用して、熱変形される、項目３３に記載の方法。
［項目３９］
前記キューブコーナー素子は、サーマルプリンターを使用して、熱変形される、項目３８に記載の方法。
［項目４０］
前記サーマルプリンターは、直接書き込みモードに設定される、項目３９に記載の方法。
［項目４１］
前記熱変形キューブコーナー素子は、マーキングを形成する、項目３３に記載の方法。
［項目４２］
前記マーキングは、グレースケールマーキングである、項目４１に記載の方法。
［項目４３］
前記マーキングは、セキュリティマークを形成する、項目４１又は４２に記載の方法。
［項目４４］
前記セキュリティマークは、形状、図形、記号、デザイン、文字、ＱＲコード、数字、英数字、及び印、バーコードのうちの１つである、項目４３に記載の方法。
［項目４５］
前記グレースケールマーキングは、空間変調を使用して作製される、項目４２に記載の方法。
［項目４６］
再帰反射性物品を作製する方法であって、
複数のキューブコーナー素子を含む構造化表面を有する、再帰反射性シートを提供することと、
該キューブコーナー素子の少なくとも一部を熱的に剪断することと、を含み、
該熱的に剪断されたキューブコーナー素子は、グレースケールマーキングを形成する、方法。
［項目４７］
前記グレースケールマーキングは、セキュリティマークを形成する、項目４６に記載の方法。
［項目４８］
前記セキュリティマークは、形状、図形、記号、デザイン、文字、数字、バーコード、ＱＲコード、英数字、及び印のうちの１つである、項目４６に記載の方法。
［項目４９］
前記キューブコーナー素子は、熱可塑性ポリマーを含む、項目４６に記載の方法。
［項目５０］
前記熱可塑性ポリマーは、ポリ（カーボネート）、ポリ（メチルメタクリレート）、ポリ（エチレンテレフタレート）、ポリウレタン、エチレンコポリマー及びそれらのアイオノマー、並びにそれらの混合物のうちの１つである、項目４９に記載の方法。
［項目５１］
それぞれの熱的に剪断されたキューブコーナー素子は、少なくとも５０パーセントの縮小光学的有効体積を有する、項目４６に記載の方法。
［項目５２］
それぞれの熱的に剪断されたキューブコーナー素子は、約１〜約３０パーセントの変位体積高さを有する、項目４６に記載の方法。
［項目５３］
前記グレースケールマーキングは、直接書き込みモードのサーマルプリンターを使用して形成される、項目４６に記載の方法。
【手続補正２】
【補正対象書類名】特許請求の範囲
【補正対象項目名】全文
【補正方法】変更
【補正の内容】
【特許請求の範囲】
【請求項１】
再帰反射性シートであって、
キューブコーナー素子を含む構造化表面であって、該キューブコーナー素子の少なくとも一部は、熱的に剪断されたキューブコーナー素子である、構造化表面を含み、
該熱的に剪断されたキューブコーナー素子は、グレースケールマーキングを形成する、再帰反射性シート。
【請求項２】
請求項１に記載の再帰反射性シートであって、前記グレースケールマーキングは、
第１の縮小光学的有効体積を有する、第１の複数の熱的に剪断されたキューブコーナー素子を含む、第１の画素と、
該第１の縮小光学的有効体積とは異なる、第２の縮小光学的有効体積を有する、第２の複数の熱的に剪断されたキューブコーナー素子を含む、第２の画素と、を更に含む、再帰反射性シート。
【請求項３】
前記グレースケールマーキングは、グラフィック画像、写真画像、セキュリティマーク、形状、図形、記号、デザイン、文字、数字、バーコード、ＱＲコード、英数字、及び印のうちの１つである、請求項１に記載の再帰反射性シート。
【請求項４】
前記キューブコーナー素子は、熱可塑性ポリマーを含む、請求項１に記載の再帰反射性シート。
【請求項５】
再帰反射性シートであって、
縮小光学的有効体積を有する変形キューブコーナー素子のアレイを含む構造化表面であって、該アレイは、複数の画素を含み、第１の画素は、第１の全光線リターン値を有するキューブコーナー素子を含み、該第１の画素に隣接する第２の画素は、該第１の全光線リターン値とは異なる第２の全光線リターン値を有するキューブコーナー素子を含む、構造化表面を含む、再帰反射性シート。